(57)【要約】【課題】  両側に高さの高い中実の櫛歯と、内側に高さの低い内部に流路を設け、先端を吐出口とした櫛歯とからなる櫛歯列によって構成される小型の櫛部材を取着した注出部材を、チューブ容器の容器口部に取着し、注出部材を一定範囲で廻動し、上下動させることによって、中栓と注出部材との間の流路を開閉するとともに、液注出量を調節できるようにした液塗布用具、さらに、大気の導入を防ぐようにした合成樹脂製チューブ容器を取着した液塗布用具を提供すること。【解決手段】  チューブ容器と、注出部材と櫛部材とを具えた液塗布用具であって、注出部材は、注出口部と、チューブ容器の口筒部に取付け可能な取付キャップを具備しており、櫛部材は、注出部材に取付けられた櫛基体と、該櫛基体に突設された櫛歯列からなっており、櫛歯列は、両側端の中実櫛歯と、その内側に配設され、内部に櫛基体に連通する流路を穿孔し、先端を注出口とした櫛歯とから構成されており、両側端の中実櫛歯が、内側の櫛歯よりも高くなっていることを特徴とする【選択図】  図１
2005334559.tif 000002
【特許請求の範囲】
【請求項１】
チューブ容器と、注出部材と櫛部材とを具えた液塗布用具であって、
注出部材は、注出口部と、チューブ容器の口筒部に取付け可能な取付キャップを具備しており、
櫛部材は、注出部材に取付けられた櫛基体と、該櫛基体に突設された櫛歯列からなっており、
櫛歯列は、両側端の中実櫛歯と、その内側に配設され、内部に櫛基体に連通する流路を穿孔し、先端を注出口とした櫛歯とから構成されており、
両側端の中実櫛歯が、内側の櫛歯よりも高くなっていることを特徴とする液塗布用具。
【請求項２】
櫛基体が、注出口部の中心軸線に対し３０°以下の角度で傾斜していることを特徴とする請求項１記載の液塗布用具。
【請求項３】
チューブ容器が、中栓を嵌着する開口を設けた突出部を具えた頂壁と、外周にねじが螺設された口筒部とを具備しており、
中栓は、前記頂壁の突出部に嵌着され、下方に流通孔を具えた側周壁と、底壁とを具備しており、
注出部材は、中栓の流通孔を開閉する連通筒を垂設し、内周に、前記口筒部のねじに螺合するねじを螺設した取付キャップとを具備していることを特徴とする請求項１、２記載の液塗布用具。
【請求項４】
チューブ容器の口筒部の上端部に係止環を突設し、注出部材の取付キャップの内周に、前記係止環と係合する係合環を設け、口筒部の係止環によって、取付キャップの上昇可能範囲が規制されていることを特徴とする請求項１〜３記載の液塗布用具。
【発明の詳細な説明】
【技術分野】
【０００１】
本発明は、液塗布用具、とくに容器中の内容物を塗布するため、櫛部材を容器口部に取着した塗布用具に関するものである。
【背景技術】
【０００２】
染毛剤塗布容器として、スクイズ可能な容器に櫛を取付け、櫛歯間に染毛剤を押出して頭髪に塗布するようにした櫛付塗布容器は、従来より知られている（特許文献１参照）。
また、チューブ容器の口部に、ブラシで形成した塗布部材を取着した液塗布用具も、従来より知られている（特許文献２参照）。
【特許文献１】特開平１１−９３３０号公報
【特許文献２】実開平２−５０２２６号公報
【発明の開示】
【発明が解決しようとする課題】
【０００３】
しかし、上記文献１記載の櫛付塗布容器では、櫛が普通の大きさを有するもので、頭髪全体や、ある程度の広さの部分に塗布するには効率的であるが、せまい部分に塗布する場合には、櫛部（４）を取外し、ノズル（１２）から直接塗布するようにしていた。
そのため、取外しに手が汚れたり、塗布にあたっては、容器を押圧するので調整が困難で、適当な量を押出すことができないという問題があった。
【０００４】
上記特許文献２記載の従来技術は、容器を押圧することによって内容物を注出しながらブラシにより髪に塗布するようにしているが、塗布に使用しないとき、誤って容器を押圧すると、内容物が外に漏れてしまうという問題があった。
また、塗布ブラシにオーバーキャップを被せておいても、誤って容器を押圧すると、内容物がオーバーキャップ内に注出して溜まったり、さらには、オーバーキャップを押上げ内容物が外に漏れるという問題があった。
【０００５】
また、ブラシタイプであると、ブラシの間に抜け毛や塗布部材の汚れや固化した液が溜まり、水や洗浄液を使ってもなかなか取れないという問題もあった。
【０００６】
また、容器が一定の復元力がある合成樹脂の場合に、胴部が徐々に復元して内圧が低くなり、大気を導入するという問題があった。
そのため、内容物が少なくなると、次の押圧時に、すぐ内容物が出ないという問題や、大気（酸素など）による内容物の変質、雑菌などによる内容物の変質といった問題があった。
【０００７】
本発明は、上記の問題を解決することを課題として、両側に高さの高い中実の櫛歯と、内側に高さの低い内部に流路を設け、先端を吐出口とした櫛歯とからなる櫛歯列によって構成される小型の櫛部材を取着した注出部材を、チューブ容器の容器口部に取着し、注出部材を一定範囲で廻動し、上下動させることによって、中栓と注出部材との間の流路を開閉するとともに、液注出量を調節できるようにした液塗布用具、さらに、大気の導入を防ぐようにした合成樹脂製チューブ容器を取着した液塗布用具を提供することを目的とする。
【課題を解決するための手段】
【０００８】
本発明は、上記の課題を解決するため、液塗布用具として、チューブ容器と、注出部材と櫛部材とを具えた液塗布用具であって、注出部材は、注出口部と、チューブ容器の口筒部に取付け可能な取付キャップを具備しており、櫛部材は、注出部材に取付けられた櫛基体と、該櫛基体に突設された櫛歯列からなっており、櫛歯列は、両側端の中実櫛歯と、その内側に配設され、内部に櫛基体に連通する流路を穿孔し、先端を注出口とした櫛歯とから構成されており、両側端の中実櫛歯が、内側の櫛歯よりも高くなっていることを特徴とする構成を採用する。
【０００９】
櫛基体の実施例として、櫛基体が、注出口部の中心軸線に対し３０°以下の角度で傾斜していることを特徴とする構成を採用する。
【００１０】
注出部材と中栓に関する実施例として、チューブ容器が、中栓を嵌着する開口を設けた突出部を具えた頂壁と、外周にねじが螺設された口筒部とを具備しており、中栓は、前記頂壁の突出部に嵌着され、下方に流通孔を具えた側周壁と、底壁とを具備しており、注出部材は、中栓の流通孔を開閉する連通筒を垂設し、内周に、前記口筒部のねじに螺合するねじを螺設した取付キャップとを具備していることを特徴とする構成を採用する。
【００１１】
チューブ容器と注出部材の実施例として、チューブ容器の口筒部の上端部に係止環を突設し、注出部材の取付キャップの内周に、前記係止環と係合する係合環を設け、口筒部の係止環によって、取付キャップの上昇可能範囲が規制されていることを特徴とする構成を採用する。
【発明の効果】
【００１２】
本発明は、上記のように構成されているから、次の効果を奏する。
櫛部材の櫛歯列を両側に高さの高い中実の櫛歯と、内側に高さの低い先端に吐出口を具え、内側に流路を設けた櫛歯とで形成されているため、内容物を塗布するときに両側の中実の櫛歯を地肌に付けても高さが違うため、吐出口より出た内容物は両側の中実の櫛歯内に保持され、毛髪に塗布する際に地肌に直接つくということはない。
櫛部材の構造上、大きさを小さくすることもできる。
【００１３】
中栓に流通孔を穿孔し、注出部材に該流通孔を開閉する流通筒を設けるようにしたので、注出部材を一定範囲で廻動させ、中栓と櫛部材との間の流路を開閉でき、さらに、開閉度に応じて液注出量をも調節できるようになった。
また、注出部材から櫛部材を取外すことができ、取外した櫛部材を洗浄することができるようになった。
【００１４】
また、中栓の流通口を閉じることによって、容器内に大気の導入を防ぐことができ、さらに、容器の口筒部に逆止弁を設けたときには、復元力のある合成樹脂製のチューブ容器であっても、胴部が復元し、内圧が低下して容器内に大気が導入されることがなくなるので、大気（酸素など）や大気中の塵埃や雑菌などによって、内容液が変質したり、汚れたりすることをなくすことができる。  
【発明を実施するための最良の形態】
【００１５】
次に、本発明の実施形態について、実施例をあげ、図面を参照して説明する。
【実施例１】
【００１６】
図１において、Ａは容器、Ｂは中栓、Ｃは注出部材、Ｄは注出部材Ｃに取着される櫛部材、Ｅはカバーキャップである。
【００１７】
図１、２に示すように、容器Ａは、チューブ容器であって、口部１と押圧変形可能な胴部２とからなっている。
口部１は、頂壁３と口筒部４とを具えており，頂壁３は、中央に開口５を設けた突出部６が設けられている。
口筒部４は、上端を外方に突出して係止環７が設けられ、その下方に、上部縮径部８とねじ９を螺設したねじ部が設けられている。
【００１８】
図３に示すように、中栓Ｂは、上端にフランジ１０を設けた側周壁１１と底壁１２とを具えている。
側周壁１１のフランジ１０下方には、開口５の下端縁に係合する係止環１３が設けられており、その下方には、等間隔をおいて、複数の流通孔１４が穿設されている。
底壁１２には、側周壁１１の内側に係止リング１５が立設されている。
【００１９】
図４に示すように、注出部材Ｃは、上壁２０を設けた上部側周壁２１と、該上部側周壁２１に、段部２２を介して連設された下部側周壁２３とからなる取付キャップ２４を具えている。
上壁２０には、中央に連通筒２５を垂設した注出口部２６が設けられており、注出口部２６の上面には、注出口部の中心軸線に対して３０°以下の一定の角度αで傾斜して上方に延びる注出筒２７が立設され、注出筒２７の外周下方には、係止環２８が設けられている。
【００２０】
取付キャップ２４の上部側周壁２１の外周下端部の所定位置には、外方に突出する膨出環２９が設けられている。
下部側周壁２３の内面は、上部の縮径部３０と、下部のねじ筒部３１とからなり、縮径部３０の内筒下端には、上昇時に口筒部４の係止環７と係合する係合環３２が設けられ、ねじ筒部３１内周には、ねじ３３が螺設されている
【００２１】
図５（ｂ）に示すように、櫛部材Ｄは、円筒形の櫛基体３５と、該櫛基体３５に突設された櫛歯列３６とを具えている。
櫛基体３５は、頂壁３７と側周壁３８とを具えており、側周壁３８外周には、等間隔をおいて櫛歯列３６が突設されており、側周壁３８の内周には、下端より注出部材Ｃの注出筒２７の外周上端が挿入され、下方には係止環２８に嵌合する係合部３９が設けられている。
【００２２】
櫛歯列３６は、上下両側の中実櫛歯４０と、両側の中実櫛歯４０の内側に等間隔をおいて配置された中実櫛歯４０より低い櫛歯４１とからなっており、櫛歯４１は、内部に櫛基体３５の内周に連通する流路４２が穿孔され、先端は吐出口４３となっている。
【００２３】
図６に示すように、カバーキャップＥは、櫛部材Ｄの櫛基体３５と、それに連設された櫛歯列３６の横断面と同形状の頂壁４５と、該頂壁４５の周縁から垂下する側周壁４６とからなり、頂壁４５および側周壁４６と、櫛基体３５と櫛歯列３６との間の距離は、できるだけ短くしている。
側周壁４６の下部は円形となっており、その下端には、注出部材Ｃの段部２２に当接したときに、膨出環２９と結合する係合環４７が設けられている。
【００２４】
次に、本液塗布容器の組立について説明する。
図７（ａ）に示すように、中栓Ｂの容器Ａへの取付けにあたって、容器Ａの頂壁３の開口５上方より中栓Ｂの側周壁１１底方から嵌入し、中栓Ｂのフランジ１０と係止環１３により容器Ａの開口５に嵌合する。
【００２５】
注出部材Ｃの容器Ａへの取付けにあたって、取付キャップ２４を廻動して口筒部４に螺合させていくと、取付キャップ２４は下降し、係合環３２が係止環７と係合してクリック作用を与え、さらに廻動すると係止環７を乗り越えて下降し、取付キャップ２４が最下降位置に達すると、注出口部２６の連通筒２５下端が中栓Ｂの底壁１２に当接し、連通筒２５外周が流通孔１４を閉鎖し、また、底壁１２の係止リング１５が連通筒２５内周に係止され、注出口部２６内周への流路を塞ぐことになる。
【００２６】
櫛部材Ｄの注出部材Ｃへの取付けにあたって、櫛部材Ｄの側周壁３８内周を注出部材Ｃの注出口部２６の注出筒２７外周に係合させていくと、側周壁３８の係合部３９と注出筒２７の係止環２８とが嵌合し、櫛部材Ｄは注出部材Ｃに固定される。
内容物の流路は、注出部材Ｃの注出口部２６内周から櫛部材Ｄの櫛基体３５内部を通り、櫛歯４１の流路４２を通り、吐出口４３まで連通される。
【００２７】
次に、本液塗布用具の使用態様と作用効果について説明する。
使用にあたっては、図６（ｂ）に示すカバーキャップＥを取外すと、図７（ａ）に示すように、櫛部材Ｄの櫛歯列３６が現れる。
取付キャップ２４を上昇させるように廻動させると、取付キャップ２４の下部側周壁２３内周の係合環３２が口部１から突出した係止環７に係合して、図７（ｂ）に示すように、上昇が阻止され、クリック感が手に与えられる。
そのときには、注出部材Ｃの連通筒２５が上昇し、中栓Ｂの側周壁１１の流通孔１４が開口され、容器Ａ内部と注出口部２６内周の流路が連通され、胴部２を押圧すると、内容液を櫛歯列３６の吐出口４３より吐出することができる。
【００２８】
取付キャップ２４を廻動し、上下動させることによって、注出部材Ｃの連通筒２５を介して中栓Ｂの流通孔１４の開口幅が調整できるので、内容液の液注出量を調節することができる。  
【００２９】
櫛部材Ｄの櫛歯列３６を所望する被塗布部に押し当て、動かしていくと、所望する塗布範囲に塗布することができる。
この際、櫛歯列３６は、両側に高さの高い中実櫛歯４０と、内側に高さの低い先端に吐出口４３を具えた内側に流路４２を設けた櫛歯４１とで形成されているため、内容物を塗布するときに、両側の中実櫛歯４０を地肌に付けても高さが違うため、吐出口４３より出た内容物は両側の中実櫛歯４０先端と各櫛歯４１先端との間に保持され、毛髪に塗布する際には、地肌に直接つくということはない。
【００３０】
塗布が終わったときには、取付キャップ２４を下降させるように廻動させると、図７（ａ）に示すように、中栓Ｂの流通孔１４が閉じられ、誤って容器胴部２を押圧しても、内容液が流出することはない。
【００３１】
また、カバーキャップＥを注出部材Ｃに被嵌したときには、カバーキャップＥの下端が注出部材Ｃの取付キャップ２４の段部２２に当接し、係合環４７が取付キャップ２４の膨出環２９に嵌合されるので、カバーキャップＥ内の気密性が保たれ、さらに、カバーキャップＥ内の空気も少なく、櫛歯４１内に入る空気は極わずかであるので、内容物の固化や、塵埃や殺菌による目詰まりなどを抑制できる。
【００３２】
また、塗布が終わると同時に、取付キャップ２４を下降させ、注出部材Ｃにカバーキャップを被嵌すると、チューブ容器に復元性の大きい樹脂を用いていても、容器Ａ内への大気の導入を少なくすることができる。
【００３３】
櫛部材Ｄが汚れた場合には、櫛部材Ｄを上方に引張ることにより側周壁３８内周の係合部３９と注出口部２６の係止環２８との嵌合が外れ、櫛部材Ｄを注出部材Ｃから取外すことができる。
【００３４】
取外した櫛部材Ｄは、水洗い、或いは洗浄液につけて洗ったりして、櫛歯列３６に付着したゴミ、塵埃、或いは無用な液を取り去ることができる。
【００３５】
また、櫛部材Ｄを注出部材Ｃから取外し、注出部材Ｃの注出口部２６を注出口として内容物を受け皿や手のひら等に吐出して使用することもできる。
【００３６】
取付キャップ２４を上昇させるように廻動させ、取付キャップ２４の下部側周壁２３内周の係合環３２が口部１から突出した係止環７に当接するまで上昇させると、手にクリック感が与えられるが、さらに廻動させると、係合環３２が係止環７を乗り越えて上昇し、取付キャップ２４の螺合を解き、注出部材Ｃを容器Ａから取外すことができる。
このことにより、容器Ａの内容物がなくなったら、注出部材Ｃを容器Ａから取外し、容器Ａと中栓Ｂを付け替え容器として取り替え、新しい容器に注出部材Ｃを組み付け、再度、本発明の液塗布容器として使用することができる。
【実施例２】
【００３７】
次に、容器口部に逆流防止機構を設けた実施例について説明する。
中栓、注出部材、カバーキャップの構成は、第１実施例と同一であるので、同一の符号をもって図示して説明を簡略にすることにし、以下、相違点を中心に説明する。
【００３８】
図８、９において、Ａａは容器、Ｂは中栓、Ｃは注出部材、Ｄは櫛部材、Ｅはカバーキャップである。
容器Ａａは、一定の復元力を有する合成樹脂製のチューブ容器であって、口部１ａと押圧変形可能な胴部２ａとからなっている。
口部１ａは、頂壁３ａと口筒部４ａとを具えており、頂壁３ａには、中央に開口５ａを設けた突出部６ａが立設されている。
口筒部４ａは、その外周上端には外方に突出する係止環７ａが設けられ、その下方に縮径部８ａとねじ９ａを螺設したねじ部が設けられている。
【００３９】
口筒部４ａ内周には、弁部材５０が装着されており、該弁部材５０は、弁体５１と弁支持体５２とから構成されている。
弁体５１は、口筒部４ａ内周に嵌合する嵌合筒５３と、その中間から一つ、または複数の連結片５４を介して連設された弁５５とを具えている。
弁支持体５２は、中央に弁孔５６を穿孔した頂壁５７と、側周壁５８とからなり、側周壁５８は、上段の縮径部５８ａと下段の拡径部５８ｂとを具えている。
【００４０】
縮径部５８ａは、嵌合筒５３内に嵌合され、下端の段部５９によって嵌合筒５３の下端を支持している。
拡径部５８ｂの外周は、容器Ａａの口筒部４ａ内周に嵌合され、外周中間には、嵌合突条６０が突設されている。
口筒部４ａ内周下端部には、嵌合突条６０の下方に位置して、拡径部５８ｂに係合する嵌合突条６１が設けられている。
【００４１】
弁部材５０の口筒部４ａ内への装着は、内容液充填前の胴部２ａの底開口部より挿入し、弁支持体５２の嵌合突条６０、口筒部４ａの嵌合突条６１によって固定される。
【００４２】
前記第１実施例と同様に、頂壁３ａの突出部６ａに、流通孔１４を穿孔した側周壁１１を具えた中栓Ｂが取着されており、前記口筒部４ａには、前記中栓Ｂの流通孔１４を開閉する連通筒２５を垂設した上壁２０と、口筒部４ａ外周のねじ９ａに螺合するねじ３３を螺設した下部側周壁２３とを具えた取付キャップ２４を具備した注出部材Ｃが上下自在に取着されている。
【００４３】
前記第１実施例と同様に、注出部材Ｃの注出筒２７には、櫛部材Ｄの櫛歯列３６を連設した櫛基体３５が嵌着され、容器Ａａ内の内容液が、中栓Ｂ、注出部材Ｃの流路を通じて櫛歯４１の吐出口４３より吐出されるようになっている。
【００４４】
次に、本実施例の作用効果について説明する。
液吐出容器の使用にあたって、第１実施例と同様に、カバーキャップＥを取外して、注出部材Ｃを上昇させると、中栓Ｂの流通孔１４が開口される。
次いで、胴部２ａを押圧すると、図１０に示すように、内圧によって弁５５が押上げられ、弁孔５６が開口されて、内容液が弁孔５６を通じて口筒部４ａの上部に、さらに中栓Ｂの流通孔１４に送られ、注出部材Ｃ、櫛部材Ｄ内の流路を経て、櫛歯４１の吐出口４３より吐出される。
【００４５】
胴部２ａの押圧を止めたときに、容器Ａａが復元力のある合成樹脂であるため、胴部２ａが復元して内圧が低下して、弁５５によって弁孔５６が閉ざされ、口筒部４ａの上部の内容液は、胴部２ａ内に戻されることはない。
したがって、櫛歯４１の吐出口４３より大気が吸込まれることはなく、胴部２ａの復元も阻止される。
そのため、吐出口４３より大気中の塵埃や雑菌が入ることはなく、櫛歯の目詰まりや、内容液の変質を防ぐことができる。
また、浴場などで使用する場合でも、水が侵入することを防ぐこともできる。
【００４６】
以上のように、第２実施例は、格別の作用効果を有するものであるが、その他にも、第１実施例と同様の作用効果を得ることができる。
【００４７】
また、弁部材は、前記実施例の形状に限定されず、スリット弁など、前記効果と同様な効果を示すものであれば、任意の形状の弁部材を使用することができる。
【産業上の利用可能性】
【００４８】
本発明は内容物として、ヘアーマニュキアなどの頭髪への部分塗布用具として用いられるが、その他にも、白髪染め、ブリーチなどの脱色剤、整髪料などの塗布用具としても使用できる。
また、構造上小さくもできるので、頭髪だけではなく、眉毛やまつ毛などの塗布用具としても使用できる。
【図面の簡単な説明】
【００４９】
【図１】本発明の第１実施例液塗布用具の断面立面図である。
【図２】容器口筒部の一部断面立図である
【図３】中栓の説明図で、（ａ）は一部断面立面図、（ｂ）は図（ａ）のＡ−Ａ線における切断面図である。
【図４】注出部材の断面立面図である。
【図５】櫛部材の説明図で、（ａ）は上面図、（ｂ）は断面立面図である。
【図６】カバーキャップを被嵌した液塗布用具の説明図で、（ａ）は上面図、（ｂ）は断面立面図である。
【図７】中栓と注出部材との関係図で、（ａ）は使用前、（ｂ）は使用時の断面図である。
【図８】第２実施例液塗布用具の断面立面図である。
【図９】弁部材の拡大説明図である。
【図１０】注出時の弁部材の説明図である。
【符号の説明】
【００５０】
Ａ、Ａａ    容器
Ｂ          中栓
Ｃ          注出部材
Ｄ          櫛部材
Ｅ          カバーキャップ
１、１ａ    口部
２、２ａ    胴部
３、３ａ    頂壁
４、４ａ    口筒部
５、５ａ    開口
６、６ａ    突出部
７、７ａ    係止環
１０        フランジ
１１        側周壁
１２        底壁
１３        係止環
１４        流通孔
１５        係止リング
２４        取付キャップ
２５        連通筒
２６        注出口部
２７        注出筒
２８        係止環
３１        ねじ筒部
３２        係合環
３３        ねじ
３５        櫛基体
３６        櫛歯列
３７        頂壁
３８        側周壁
３９        係合部
４０        中実櫛歯
４１        櫛歯
４２        流路
４３        吐出口
５０        弁部材
５１        弁体
５２        弁支持体
５３        嵌合筒
５５        弁
５６        弁孔
６０、６１  嵌合突条
【図１】
2005334559.tif 000003
【図２】
2005334559.tif 000004
【図３】
2005334559.tif 000005
【図４】
2005334559.tif 000006
【図５】
2005334559.tif 000007
【図６】
2005334559.tif 000008
【図７】
2005334559.tif 000009
【図８】
2005334559.tif 000010
【図９】
2005334559.tif 000011
【図１０】
2005334559.tif 000012